(57)【要約】【課題】受信信号に到達時間の計測が困難なデータが含まれる場合、その受信信号が、再構成画像に寄与している領域を表示する。【解決手段】被写体に対して送信角度を変えながら超音波を複数回送信して前記送信ごとに被写体を透過した超音波を超音波素子列で受信した受信信号を得る。被写体を配置せずに超音波素子列によって超音波を送受信して超音波素子によりそれぞれ得た受信信号と比較することにより、その受信信号の信頼度を示す値を超音波素子ごとに求める。信頼度算出部が算出した受信ごとの前記各超音波素子の受信信号の信頼度を示す値に基づいて画像再構成をすることにより、被写体の断面における信頼度の分布を示す信頼度マップを生成する。【選択図】図１
2020110431.tif 000002
【特許請求の範囲】
【請求項１】
被写体に対して送信角度を変えながら超音波を複数回送信し、前記送信ごとに前記被写体を透過した超音波を受信する超音波素子列と、
前記超音波素子列を構成する超音波素子が前記受信によりそれぞれ得た受信信号を、前記被写体を配置せずに前記超音波素子列によって超音波を送受信して前記超音波素子によりそれぞれ得た受信信号と比較することにより、その受信信号の信頼度を示す値を超音波素子ごとに求める信頼度算出部と、
前記信頼度算出部が算出した前記受信ごとの前記各超音波素子の受信信号の前記信頼度を示す値に基づいて画像再構成をすることにより、前記被写体の断面における前記信頼度の分布を示す信頼度マップを生成する信頼度マップ生成部とを有することを特徴とする超音波ＣＴ装置。
【請求項２】
請求項１に記載の超音波ＣＴ装置であって、
前記信頼度算出部は、
前記受信信号が示す、前記被写体を透過した超音波の前記超音波素子への到達時間と、前記被写体を配置せずに超音波を送受信して得た到達時間との差（到達時間差）が、所定の到達時間差よりも小さい場合、前記所定の到達時間差より大きい場合よりも、大きな信頼度を設定する条件、および、
前記超音波素子の受信信号の信号強度と、前記被写体を配置せずに超音波を送受信して得た信号強度との比（減衰率）が、所定の減衰量より小さい場合、前記所定の減衰量よりも大きい場合よりも、大きな信頼度を設定する条件、
の少なくとも一方にしたがって、前記信頼度の値を算出することを特徴とする超音波ＣＴ装置。
【請求項３】
請求項１に記載の超音波ＣＴ装置であって、
前記信頼度算出部は、対象の前記超音波素子の受信信号の前記信頼度の値に、対象の前記超音波素子と周囲の前記超音波素子との距離が近いほど大きな値となる重みを乗じて加算することを特徴とする超音波ＣＴ装置。
【請求項４】
請求項１に記載の超音波ＣＴ装置であって、
前記受信信号を補正する補正部と、断層画像生成部とをさらに備え、
前記補正部は、前記超音波素子の受信信号を、前記信頼度の値によって補正し、
前記断層画像生成部は、前記補正部による補正後の受信信号を用いて前記被写体の物性値の分布を示す断層画像を生成することを特徴とする超音波ＣＴ装置。
【請求項５】
請求項４に記載の超音波ＣＴ装置であって、
前記補正部は、前記信頼度の値によって補正した前記超音波素子ごとの受信信号に、さらに周囲の１以上の前記超音波素子の補正後の受信信号を加算することにより、補正対象の前記超音波素子の補正後の受信信号を得る構成であり、前記加算の際に、前記補正対象の超音波素子と前記周囲の超音波素子との距離に応じて、前記補正後の受信信号を重み付けすることを特徴とする超音波ＣＴ装置。
【請求項６】
請求項４に記載の超音波ＣＴ装置であって、
前記補正部は、前記信頼度によって補正する前または後に、別の種類の補正をさらに施すことを特徴とする超音波ＣＴ装置。
【請求項７】
請求項６に記載の超音波ＣＴ装置であって、
前記補正部は、前記超音波素子列のある超音波素子を補正の起点として、隣接する超音波素子の受信信号の到達時間の差が、超音波の中心周期の半周期以内に収まるように、前記受信信号の到達時間に対して中心周期の整数倍を加減する補正を行うことを特徴とする超音波ＣＴ装置。
【請求項８】
請求項１に記載の超音波ＣＴ装置であって、前記信頼度マップ生成部は、前記受信ごとの前記各超音波素子の受信信号の前記信頼度を示す値を、前記超音波素子の配列方向および前記超音波の前記送信角度方向について並べることによりサイノグラムを生成し、前記サイノグラムを逆投影することにより、前記信頼度マップを生成することを特徴とする超音波ＣＴ装置。
【請求項９】
請求項５に記載の超音波ＣＴ装置であって、前記信頼度マップ生成部が生成した信頼度マップと、前記断層画像生成部の生成した断層画像とを、同時に表示部に表示させる表示制御部をさらに有することを特徴とする超音波ＣＴ装置。
【請求項１０】
被写体に対して送信角度を変えながら超音波を複数回送信し、前記送信ごとに前記被写体を透過した超音波を超音波素子列で受信した受信信号を受け取って、前記被写体を配置せずに前記超音波素子列によって超音波を送受信して前記超音波素子によりそれぞれ得た受信信号と比較することにより、その受信信号の信頼度を示す値を超音波素子ごとに求める信頼度算出部と、
前記信頼度算出部が算出した前記受信ごとの前記各超音波素子の受信信号の前記信頼度を示す値に基づいて画像再構成をすることにより、前記被写体の断面における前記信頼度の分布を示す信頼度マップを生成する信頼度マップ生成部とを有することを特徴とする画像処理装置。
【請求項１１】
コンピュータを、
被写体に対して送信角度を変えながら超音波を複数回送信して前記送信ごとに前記被写体を透過した超音波を超音波素子列で受信した受信信号を受け取る手段、
受け取った前記受信信号を、前記被写体を配置せずに前記超音波素子列によって超音波を送受信して前記超音波素子によりそれぞれ得た受信信号と比較することにより、その受信信号の信頼度を示す値を超音波素子ごとに求める信頼度算出手段、
前記信頼度算出部が算出した前記受信ごとの前記各超音波素子の受信信号の前記信頼度を示す値に基づいて画像再構成をすることにより、前記被写体の断面における前記信頼度の分布を示す信頼度マップを生成する信頼度マップ生成手段として機能させるための画像処理プログラム。
【発明の詳細な説明】
【技術分野】
【０００１】
本発明は、超音波ＣＴ装置に関する。
【背景技術】
【０００２】
超音波ＣＴ（Computed Tomography）装置は、媒質中の被写体へ、複数の方向から超音波を照射し、被写体を透過した超音波を受信することにより受信信号を得て、受信信号から被写体内部の物性値（音速や減衰率）の分布を示す断層画像を生成する装置である。超音波は、圧電素子等の超音波素子を用いて発生する。超音波素子は、リングアレイ状に並べられ、被写体は、リングアレイ状の超音波素子の開口内に挿入されて撮影される。
【０００３】
特許文献１には、超音波ＣＴの基本構成と画像化技術が開示されている。
【先行技術文献】
【特許文献】
【０００４】
【特許文献１】特表平０８−５０８９２５号公報
【発明の概要】
【発明が解決しようとする課題】
【０００５】
超音波ＣＴ装置において、被写体内の音速分布の画像を再構成するためには、被写体を透過した超音波が各超音波素子へ到達する時間を受信信号によって計測する必要がある。しかしながら、被写体によって超音波信号が大幅に減弱した場合や、超音波信号がノイズと干渉した場合や、超音波を受信する超音波素子の感度低下が生じた場合等には、一部の超音波素子の受信信号から到達時間の推定（計測）が困難となることがある。到達時間の計測が困難な受信信号が一部に含まれると、再構成した音速画像に偽像が生じる原因となる。
【０００６】
本発明の目的は、受信信号に到達時間の計測が困難なデータが含まれる場合、その受信信号が、再構成画像に寄与している領域を表示することにある。
【課題を解決するための手段】
【０００７】
上記目的を達成するために、本発明の超音波ＣＴ装置は、被写体に対して送信角度を変えながら超音波を複数回送信し、送信ごとに被写体を透過した超音波を受信する超音波素子列と、超音波素子列を構成する超音波素子の受信信号を、被写体を配置せずに超音波素子列によって超音波を送受信して得た受信信号と比較することにより、その受信信号の信頼度を示す値を超音波素子ごとに求める信頼度算出部と、信頼度算出部が算出した受信ごとの各超音波素子の受信信号の信頼度を示す値に基づいて画像再構成をすることにより、被写体の断面における信頼度の分布を示す信頼度マップを生成する信頼度マップ生成部とを有する。
【発明の効果】
【０００８】
本発明によれば、受信信号の信頼度を求め、被写体の断面における信頼度の分布を信頼度マップとして示すことができるため、信頼度の低い受信信号が再構成画像に寄与している領域をユーザは把握することができる。
【図面の簡単な説明】
【０００９】
【図１】本発明の実施形態における超音波ＣＴ装置のサジタル断面の概略の構造を示すブロック図。
【図２】実施形態のリング状の超音波素子列（リングアレイ）のコロナル断面の概略の構造を示す図。
【図３】実施形態の信号処理部７の機能ブロック図。
【図４】実施形態の超音波ＣＴ装置の動作を示すフローチャート。
【図５】信頼度のサイノグラムの一例を示す図。
【図６】（ａ−１）低信頼度の受信信号から生成した音速画像例、（ａ−２）低信頼度の受信信号を補正した後生成した音速画像例、（ａ−３）低信頼度の受信信号の信頼度マップ例、（ｂ−１）中程度の信頼度の受信信号から生成した音速画像例、（ｂ−２）中程度の信頼度の受信信号を補正した後生成した音速画像例、（ｂ−３）中程度の信頼度の受信信号の信頼度マップ例。
【図７】実施形態の超音波ＣＴ装置が表示する画面例。
【図８】（ａ）および（ｂ）信頼度マップの信頼度の合計が閾値以下等の場合に表示するユーザインターフェース画面例。
【図９】（ａ）実施形態の超音波ＣＴ装置において、到達時間推定部７０が求めた到達時間差の一例を示す図、（ｂ）〜（ｄ）起点とする超音波素子から順次、連続化処理を施した到達時間差を示す図、（ｅ）加重平均後の到達時間差を示す図。
【図１０】（ａ）実施形態の超音波ＣＴ装置において、到達時間推定部７０が求めた到達時間差の一例であって、不連続個所の時間差が大きい例を示す図、（ｂ）〜（ｄ）起点とする超音波素子から順次連続化処理を施した到達時間差を示す図、（ｅ）加重平均後の到達時間差を示す図。
【図１１】（ａ）および（ｂ）は、図９（ｂ）〜（ｄ）の連続化処理を示す説明図。
【図１２】（ａ）一般的な透過波の到達時間を示すグラフ、（ｂ）本実施形態の連続化処理後の到達時間を示すグラフ。
【図１３】送信した超音波の周期を示すグラフ。
【発明を実施するための形態】
【００１０】
以下、本発明の一実施形態の超音波ＣＴ装置について説明する。
【００１１】
超音波ＣＴ装置は、被写体へ、複数の方向から超音波を照射し、被写体を透過した信号から被写体のある断面における物性値（音速や減衰率）の分布を示す物性値画像を生成する。超音波ＣＴ装置は、マンモグラフィと異なり放射線被曝がないため、より若年層に適用可能な乳癌検診装置として期待されている。以下では本発明を乳癌検診装置に利用する形態を述べるが、撮影対象は特に限定されない。
【００１２】
まず、本実施形態の超音波ＣＴ装置の概要について図面を用いて説明する。図１は、本実施形態の超音波ＣＴ装置の概要を示すブロック図である。
【００１３】
図１のように、本実施形態の超音波ＣＴ装置は、超音波素子列３と、信頼度算出部７１と、信頼度マップ生成部７２とを備えている。
【００１４】
超音波素子列３は、図２に示すように、複数の超音波素子を配列した構成であり、一例としてはリング状である。超音波素子列３は、被写体１に対して１以上の超音波素子から超音波（入射波）を送信し、送信ごとに被写体１を透過した超音波（透過波）を複数の超音波素子によって受信することにより、受信信号をそれぞれ得る。この送受信を、入射波の送信角度を変えながら複数回繰り返す。
【００１５】
信頼度算出部７１は、被写体１を配置して超音波素子列３から超音波を送受信して得た超音波素子の受信信号を、被写体１を配置せずに超音波を送受信して得た受信信号と比較する。これにより、その受信信号の信頼度を示す値を超音波素子ごとに求める。
【００１６】
信頼度マップ生成部７２は、信頼度算出部が算出した受信ごとの各超音波素子の受信信号の信頼度を示す値に基づいて画像再構成を行う。これにより、被写体の断面における信頼度の分布を示す信頼度マップ（信頼度画像）を生成する。この信頼度マップの画素値（信頼度）が小さい領域は、信頼度の低い受信信号が寄与している領域、すなわち、信頼度の低いと判断された受信信号として受信された透過波が通過した被写体の断面の領域を示している。よって、ユーザは、信頼度マップを見ることにより、信頼度の低い領域を把握することができる。例えば、信頼度マップを、別途生成した物性値分布画像と見比べることにより、物性値分布画像における信頼度の低い領域（偽像が存在する領域等）を把握することができる。以下、詳しく説明する。
【００１７】
さらに詳しく本実施形態の超音波ＣＴ装置について説明する。超音波ＣＴ装置被写体１を乗せるベッド２が備えられ、ヘッド２には、胸部を挿入する開口２ａが設けられている。開口２ａの下部には、円柱状の水槽４が配置されている。その内部には、図２に示したようなリング状の超音波素子列（以下、リングアレイとも呼ぶ）３が、水槽４の軸方向に平行移動可能に備えられている。リングアレイ３は、超音波送受信器として機能する圧電素子等の超音波素子を円状に複数配置した構成である。水槽４には、温水が満たされている。水槽４には予備タンク５が接続されている。予備タンク５は、水槽４の温水を浄化、過熱、脱気する機能を備えている。
【００１８】
リングアレイ３および予備タンク５には、制御部６および信号処理部７が接続されている。信号処理部７は、図３にその機能ブロック図を示したように、到達時間推定部７０、信頼度算出部７１、信頼度マップ生成部７２、補正部７３、および、断層画像生成部７４が備えられている。これらの各部の動作については後で詳しく説明する。信号処理部７には、入出力部９と記憶部８が接続されている。
【００１９】
信号処理部７は、ＣＰＵ（Central Processing Unit）やＧＰＵ（Graphics Processing Unit）等のプロセッサーと、メモリとを備えたコンピュータ等によって構成され、ＣＰＵが、メモリに格納されたプログラムを読み込んで実行することにより、信号処理部７の各部の機能をソフトウエアにより実現する。なお、信号処理部７は、その一部または全部をハードウエアによって実現することも可能である。例えば、ＡＳＩＣ（Application Specific Integrated Circuit）のようなカスタムＩＣや、ＦＰＧＡ（Field-Programmable Gate Array）のようなプログラマブルＩＣを用いて信号処理部７を構成し、信号処理部７の各部の機能を実現するように回路設計を行えばよい。
【００２０】
超音波ＣＴ装置の撮影条件は、ユーザにより、入出力部９のタッチパネルやキーボード等を通して設定される。設定された条件等は、記憶部８のメモリやハードディスクドライブ等に保存される。これらの条件を基に、信号処理部７のＣＰＵ（Central Processing Unit）等で処理された制御信号が、制御部６内に配置されている各種コントローラーに送られる。コントローラーは、リングアレイ３の各超音波素子による超音波信号の送受信やスイッチング、リングアレイ３の上下動の制御、予備タンク５による水圧制御や温水の温度制御などを行う。リングアレイ３の各超音波素子の受信信号は、記憶部８に記録されると共に、信号処理部７で信頼度算出や画像再構成等の信号処理演算が実行される。再構成された被写体１の断層画像や信頼度マップ等の情報は、入出力部９のモニタ等に表示される。制御部６と信号処理部７と記憶部８は、ベッド２の下部の空間に収めることもできる。
【００２１】
＜超音波ＣＴ装置の具体的構成＞
以下、超音波ＣＴ装置の具体的構成と動作の一例を示す。リングアレイ３の各超音波素子から照射する超音波の中心周波数を１．５ＭＨｚとすると、水中での超音波の波長は約１ｍｍである。超音波素子（圧電素子）のピッチを０．５ｍｍとすると、超音波素子２０４８チャネルで、直径３２６ｍｍのリングアレイ３が構成される。制御部６は、リングアレイ３の５１２チャネルの超音波素子を駆動し、位相を揃えた平面波の超音波を照射した後、同じ５１２チャンネルの超音波素子により反射波を受信し、送信した超音波素子と対向する位置のある５１２チャネルの超音波素子により透過波を受信する。これによって撮影視野（Ｆｉｅｌｄ  ｏｆ  Ｖｉｅｗ：ＦＯＶ）を直径２３０ｍｍの円形に確保することができる。制御部６リングアレイ３上で駆動する５１２チャネルの超音波素子を４チャネルずつずらして、平面波を照射し、反射波および透過波を受信することを繰り返すことで、被写体１の周囲３６０度からの透過波及び反射波の信号を、０．７度ずつ角度がずれた５１２ビューについて得ることができる。超音波素子の水槽４の軸方向の厚みを１０ｍｍとすると、水槽４の軸方向に５ｍｍピッチでリングアレイ３を変位させて、上述の超音波送受信を繰り返すことにより、２００ｍｍの変位で４０スライスのデータが得られる。上記手順を、被写体１を挿入した状態と、挿入していない状態とに対して行い、得られた受信信号（透過波信号および反射波信号）に基づいて、スライスごとに画像再構成することにより、被写体１の乳房の三次元情報が得られる。
【００２２】
＜超音波ＣＴ装置の動作＞
以下、超音波ＣＴ装置が、透過波の受信信号から被写体１の断層画像（物性値画像）および信頼度マップを再構成する際の各部の動作を、図４のフローを用いて説明する。具体的には、断層画像として、被写体の断面における音速と減衰率の分布をそれぞれ示す音速画像と減衰率画像を再構成する。
【００２３】
まず、制御部６は、被写体１を配置した状態で、リングアレイ３の複数の超音波素子から超音波（平面波）を上述のように送信させ、対向する位置にある複数の超音波素子により、透過波信号を計測（受信）させる（ステップ1001）。これをあらかじめ定めたビューごとに繰り返す。
【００２４】
つぎに、信号処理部７の到達時間推定部７０は、超音波素子ごとに計測された透過波の受信信号（受信信号）について、時間方向にヒルベルト変換（包絡線検波）を実施し、受信信号のピーク位置の超音波素子への到達時間と、ピーク位置の信号強度を求める（ステップ1002）。
【００２５】
到達時間推定部７０は、到達時間および信号強度を、予め求めておいた被写体１を挿入せずに計測した到達時間および信号強度と比較することにより、被写体１の挿入前後の到達時間差ｔ及び信号強度比（減衰率）αを算出する（ステップ1003）。これを、ビュー（投影角度）ごと、受信素子（チャネル）ごとに行う。到達時間推定部７０は、得られた到達時間差ｔをビュー（投影角度）番号および受信素子（チャネル）番号を２軸とする２次元平面に配列することにより、到達時間差ｔのサイノグラムを得る。同様に、得られた信号強度比αを配列することにより、信号強度比αのサイノグラムを得る。到達時間推定部７０は、これら２種類のサイノグラムをスライス毎に得る。
【００２６】
つぎに、信頼度算出部７１は、超音波素子が受信した受信信号の信頼度を示す値Ｗを、投影角度ごと、受信素子ごとに算出する（ステップ1004）。受信信号の信頼度を示す値Ｗ（以下、信頼度Ｗとも呼ぶ）の算出方法については、後で詳しく説明する。また、信頼度算出部７１は、信頼度Ｗを、ビュー（投影角度）番号および受信素子（チャネル）番号を２軸とする２次元平面に配列することにより、信頼度Ｗのサイノグラムを図５のように得る。
【００２７】
補正部７３は、信頼度算出部７１が求めた信頼度Ｗ等を用いて、到達時間差ｔのサイノグラムの到達時間差ｔおよび信号強度比αのサイノグラムの信号強度比αを補正する（ステップ1005）。補正方法については、後で詳しく説明する。
【００２８】
断層画像生成部７４は、補正後の到達時間差ｔのサイノグラムおよび信号強度比αのサイノグラムをそれぞれ、Ｘ線ＣＴ装置の分野で広く利用されているフィルタ補正逆投影法（Filtered Back Projection、FBP）や逐次近似再構成法等により再構成する。これにより、到達時間差ｔのサイノグラムからは、図６（ａ−２）、（ｂ−２）のような被写体内の音速分布を示す音速画像が生成され、信号強度比αのサイノグラムからは、減衰率分布を示す減衰率画像が生成される（ステップ1006）。なお、音速と等価な物理量である屈折率や遅さ（音速の逆数）についても同様に画像化が可能である。生成された音速画像や減衰率画像は、信頼度Ｗを用いて補正された到達時間差ｔや信号強度比αのサイノグラムから再構成されているため、補正を行わずに再構成した場合に得られる図６（ａ−１）、（ｂ−１）のような音速画像と比較して、線状の偽像や被写体領域における画素値の飽和等を抑制することができる。
【００２９】
また、信頼度マップ生成部７２は、図５の信頼度Ｗのサイノグラムをフィルタ補正逆投影法（Filtered Back Projection、FBP）や逐次近似再構成法等により再構成することにより、受信信号の信頼度分布を示す信頼度マップを図６（ａ−３）、（ｂ−３）のように生成する（ステップ1006）。
【００３０】
断層画像生成部７４と信頼度マップ生成部７２は、生成した音速画像、減衰率画像、および、信頼度マップを入出力部９に表示する（ステップ1007）。例えば、図７の画面例のように、物性値画像（音速画像および／または減衰率画像）と、信頼度マップとを並べて入出力部９の表示部に表示することができる。信頼度マップは、各受信信号の信頼度を示すため、ユーザは信頼度マップの各画素の示す信頼度と、その画素の位置（領域）を物性値画像とを見比べることにより、物性値画像（音速画像や減衰率画像）の信頼性が高い領域と低い領域とを把握することができる。
【００３１】
＜信頼度の算出と、受信信号の補正＞
ここで、ステップ1004における信頼度の算出方法と、ステップ1005における到達時間差および信号強度比の補正方法について詳しく説明する。
【００３２】
信頼度算出部７１は、信頼度を求める対象であるｉ番目の超音波素子の受信信号を、被写体を配置せずに受信した受信信号と比較することにより、その受信信号の信頼度を示す値（後述のD（ｔｉ）・A（αi））を求める。この信頼度を示す値に、ｉ番目の超音波素子と周囲のｊ番目の超音波素子との距離が近いほど大きな値となる（重み）を掛けたものを信頼度ｗｉｊとする。異なる複数のｊについての信頼度ｗｉｊを加算することにより、対象のｉ番目の超音波素子の受信信号の加算後の信頼度Ｗｉを求める。
【００３３】
具体的には、信頼度算出部７１は、以下の３つの条件にしたがって信頼度Ｗｉを算出する。
(ａ)ステップ1003において到達時間推定部７０が算出した到達時間差ｔが、所定の到達時間差よりも小さい場合、所定の到達時間差より大きい場合よりも、大きな信頼度を設定する条件（関数Ｄ(tｉ)）、
(ｂ)到達時間推定部７０が算出した信号強度比（減衰率）αが、所定の減衰量より小さい場合、所定の減衰量よりも大きい場合よりも、大きな信頼度を設定する条件（関数Ａ(αｉ））、
(ｃ)信頼度を算出する対象となるｉ番目の超音波素子と、超音波素子列３の周囲のｊ番目の超音波素子との距離ｒｉｊが近いほど大きな値となる関数Ｒ（ｒｉｊ）により、上記条件(1),(2)で設定された信頼度（D（ｔｉ）・A（αi））を重み付けして加算する条件、
の３つである。
【００３４】
上述した信頼度Ｗｉの算出方法を数式を用いて表すと式(2)、(3)のようになる。式(1)は、信頼度Ｗｉおよび加重加算前の信頼度ｗｉｊを使って、到達時間差ｔを補正する数式である。
【数１】
2020110431.tif 000003
【数２】
2020110431.tif 000004
【数３】
2020110431.tif 000005
【００３５】
すなわち、信頼度算出部７１は、信頼度を求める対象の超音波素子をｉ番目、周囲の超音波素子をｊ番目とした場合、式（２）、（３）に示すように、ｉ番目の超音波素子の到達時間差ｔが小さい場合大きい値となるＤ（ｔｉ）と、減衰率αが小さい場合大きい値となるＡ(αｉ）と、ｉ番目の超音波素子とｊ番目の超音波素子との距離ｒｉｊが小さいほど大きい値となるＲ（ｒｉｊ）との積により、加算前の信頼度ｗｉｊを式（２）により求める。そして、式（３）により、ｊを異ならせて、信頼度ｗｉｊを加算することにより、ｉ番目の超音波素子の加重加算後の受信信号の信頼度Ｗｉを求める。例えば、信頼度算出部７１は、ｉが２番目であり、自分を含めて周囲３つの超音波素子の重みｗｉｊを加算して、信頼度Ｗ２を求める場合
Ｗ２＝ｗ２１＋ｗ２２＋ｗ２３
を式（３）により算出する。ｗ２１、ｗ２２、ｗ２３は、式（２）により、
ｗ２１＝Ｄ(ｔ２）・Ａ(α２）・Ｒ（ｒ２１）
ｗ２２＝Ｄ(ｔ２）・Ａ(α２）・Ｒ（ｒ２２）
ｗ２３＝Ｄ(ｔ２）・Ａ(α２）・Ｒ（ｒ２３）
である。
【００３６】
なお、加重加算する信頼度ｗｉｊは、３つに限られず、超音波素子列３のすべての超音波素子の重みを加算してもよい。
【００３７】
関数Ｄ(tｉ)、Ａ(αｉ）、Ｒ（ｒｉｊ）としては、上述した条件（ａ），（ｂ），（ｃ）を満たす値を与える関数であればどのようなものでもよく、例えば、ローラン多項式や指数関数等を用いる。また、Ｄ(tｉ)、Ａ(αｉ）、Ｒ（ｒｉｊ）は、その値が定数である場合も含む。
【００３８】
上述の信頼度ｗｉｊは、補正前の受信信号データから補正後の受信信号データを推定する際の、各受信信号の信頼度を表している。補正部７３は、信頼度ｗｉｊを用いて、対象のｉ番目の超音波素子の受信信号の到達時間差ｔｉと、周囲の複数のｊ番目の超音波素子の到達時間差ｔｊと加重平均することにより、式（１）により、補正後の到達時間差ｔｉ’を算出することができる（ステップ1005)。
【００３９】
具体的には、ｉ＝２であり、自分を含めて周囲３つの超音波素子の到達時間差ｔｊを式（１）により、加重平均する場合、補正部７３は、
ｔｉ’＝（ｗ２１・ｔ１＋ｗ２２・ｔ２＋ｗ２３・ｔ３）／Ｗ２
を算出する。
【００４０】
なお、加重平均する到達時間差ｔｊは、３つに限られず、超音波素子列３のすべての超音波素子の重みを加算してもよい。
【００４１】
補正部７３は、到達時間差ｔのサイノグラムを構成する到達時間差ｔｉを補正後のｔｉ’に置き換えることにより補正する。補正部７３は、減衰率αｉについても、同様に信頼度に重み付けして加重平均することにより、補正後の減衰率αｉ’を求め、減衰率αのサイノグラムを補正する。補正部７３が、式（１）により信頼度ｗｉｊ，Ｗｉを用いて到達時間ｔや減衰率αｉを加重平均する補正を行うことにより、再構成される音速画像や減衰率画像を平滑化して、偽像を除去することができる。
【００４２】
また、信頼度算出部７１は、式（３）により算出した加算後の信頼度Ｗｉを並べたサイノグラムを生成する（ステップ1004）。信頼度マップ生成部７２は、信頼度Ｗｉのサイノグラムから信頼度マップを生成する（ステップ1006)。
【００４３】
この信頼度マップは、各受信信号の信頼度を示すため、ステップ1007において、信頼度マップ生成部７２と断層画像生成部７４は、図７のように物性値画像と並べて表示し、ユーザは信頼度マップと物性値画像とを見比べることにより、受信信号の信頼性が物性値画像（音速画像や減衰率画像）の画素に与えている影響を見積もることができる。
【００４４】
また、信頼度マップ生成部７２と断層画像生成部７４は、信頼度マップを物性値画像と並べて表示する他に、適当な閾値でマスク処理して、もしくは適当な重みで重ねて表示することにより、ユーザの物性値画像の読影・診断を補助することができる。例えば、スライス平面(x,y)上の信頼度マップの画素値をc(x,y)とし、物性値画像（音速画像や減衰画像）の画素値をI(x,y)とした場合、断層画像生成部７４は、適当な閾値cthresholdを用いて、式（４）のように信頼度の低い画素を不可視(NAN, Not a Number)とする画像処理を施すことができる。このように信頼度に応じて物性値画像を調整・強調する画像処理を行うことができる。
【００４５】
I’(x,y) = I(x,y)  (c(x,y) ≧ cthreshold)
= NAN     (c(x,y) ＜ cthreshold)      （式４）
【００４６】
また、信頼度マップ生成部７２は、入出力部９を介してユーザから信頼度マップ上で関心領域の設定を受け付け、設定された関心領域内の画素あたりの平均信頼度（関心領域内の各画素の示す信頼度の平均値）を算出し、それを表示する構成としてもよい。
【００４７】
また、信頼度マップ生成部７２は、予め定めておいた閾値以下の信頼度を示す画素の数あるいは画素が占める面積が、予め定めた一定値以上に達した場合に、再計測をユーザに促すメッセージ、または、メンテナンスの必要性を示す警告メッセージを、入出力部９において表示する構成としても良い。この場合、警告メッセージを表示するかどうかを、ユーザが切り替えられる構成としてもよい。
【００４８】
また、図４のフローでは、ステップ1005において到達時間差ｔおよび信号強度比αに対して毎回補正を施し、ステップ1006において補正後の音速画像および減衰率画像を生成する構成であったが、信頼度マップの各画素が示す信頼度の合計が予め定めた閾値以下の場合や、閾値以下の信頼度を示す画素の数あるいは画素が占める面積が、予め定めた一定値以上に達した場合に、信頼度マップ生成部７２が、例えば図８（ａ）に示すようなユーザインターフェース画面を入出力部９に表示し、ステップ1005の補正部３による式（１）の平滑化補正を到達時間差ｔや信号強度比αに適用するかどうかの指示をユーザから受け付ける構成としてもよい。ユーザが、画面上の補正適用ボタン８０１を押下した場合には、ステップ1005を実施した後、ステップ1006により補正後の物性値画像（音速画像や減衰率画像）を生成し、図７の画面例のように表示する。図８（ａ）の画面を表示する前、または、キャンセルボタン８０２が押下された場合には、補正を施していない物性値画像（図６（ａ−１）や図６（ｂ−１））を図７の物性値画像として表示する。このとき、信頼度マップ生成部７２は、図８（ｂ）のような画面を表示し、信頼度マップを表示するかどうかの指示をユーザから受け付ける構成としてもよい。ユーザが、画面上の信頼度マップ表示ボタン８０３を押下した場合、信頼度マップを表示し、キャンセルボタン８０４を押下した場合には、信頼度マップが生成しているが表示は行わない。
【００４９】
また、補正部３による式（１）による平滑化補正後の物性値画像を表示するか、補正していない物性値画像を表示するかどうかをユーザが切り替えるボタン７０１を図７の画面に表示してもよい。ユーザがボタン７０１により平滑化補正ＯＮを選択した場合には、断層画像生成部７４は、図７のように補正後の音速画像を表示し、平滑化補正ＯＦＦを選択した場合には、補正していない音速画像を表示する。
【００５０】
また、図７の画面に、信頼度マップを表示するかどうかをユーザが切り替えるボタン７０２を表示してもよい。ユーザがボタン７０２により信頼度マップの表示ＯＮを選択した場合には、信頼度マップ生成部７２は、図７のように補正後の音速画像を表示し、信頼度マップの表示ＯＦＦを選択した場合には、信頼度マップを表示しない。
【００５１】
＜別の平滑化処理を併用する例＞
なお、上述の式（１）では、信頼度ｗｉｊおよびＷｉを用いて受信信号データ（到達時間差ｔ、減衰率α）を平滑化する補正を、補正部７３が行っているが、補正部７３が別の平滑化処理を併用してもよい。例えば、補正部７３は、補正前の到達時間差tに替えて、超音波素子の配列方向の移動平均後の到達時間差を用いても良い。あるいは、補正部７３は、以下に説明する図９から図１１に示した方法により、各超音波素子の到達時間差ｔを連続化処理により平滑化してもよい。
【００５２】
図９〜図１１の連続化処理による平滑化補正方法について説明する。図１２は、一般的な平面波の超音波を被写体１に照射し、その透過波を超音波素子列３で受信した到達時間を示している。図１２において、横軸は時間，縦軸は超音波素子（チャネル）の配列方向，濃淡は信号振幅を表している。また、図１２には超音波素子が計測した波の到達タイミングを黒線で追記してある。一般には、透過波は、被写体１に急峻な構造変化があっても、急激には変化しないため、隣接する超音波素子の波の到達タイミングは、なめらかにしか変化せず、連続した線となる。しかしながら、実際に計測した到達タイミングは、図１２（ａ）に矢印で示したように、透過波の減衰が激しく，到達タイミングが不連続になっている個所がある。このため、図１２(a)中の矢印の部分で生じている、到達タイミングの不連続性は、誤計測によるものである。そこで、補正部７３は、図１２(b)に示すように，この不連続な部分を滑らかにつなぐように、到達タイミングに連続化処理を施す。以下、さらに説明する。
【００５３】
図９（ａ）に、ステップ1002において到達時間推定部７０が求めた到達時間差ｔを示す。横軸が到達時間差、縦軸がチャネル方向である。到達時間差ｔは、矢印の個所において、誤計測により不連続になっている。そこで、図９（ｂ）、図１１（ａ）に示すように、補正部７３は、ｋ番目の超音波素子を補正の起点として、隣接するｋ＋１番目の超音波素子の到達時間差ｔk+1のｋ番目の到達時間差ｔkに対する差が、送信波の周期Tの±T/2に収まるように、周期Tの整数倍を到達時間差ｔk+1に加算または減算する。つぎに、ｋ＋２番目の超音波素子の到達時間差ｔk+2のｋ＋１番目の到達時間差ｔk+1に対する差が、送信波の周期Tの±T/2に収まるように、周期Tの整数倍を到達時間差ｔk+2に加算または減算する。補正部７３は、同様の処理を、ｋ＋３番目以降の超音波素子についても繰り返し、図９（ｂ）のような到達時間差列ｔk+1〜ｔk+nを求める。これにより、不連続な部分をなめらかにつなぐ連続化処理を施すことができる。なお、送信波の周期Tは、図１３に一例を示したように、送信した超音波の周波数帯域に含まれる任意の周波数の逆数とし、典型的には中心周波数fcの逆数とする。
【００５４】
補正部７３は、連続化処理後の到達時間差ｔk+1〜ｔk+nに式（１）の補正を適用することにより、信頼度ｗijおよびＷｉを用いて受信信号データ（到達時間差ｔ、減衰率α）を平滑化する補正を行う。
【００５５】
図９（ｂ）の連続化処理後の具体的な到達時間差ｔk+1〜ｔk+nの一例を図１２（ｂ）に示す。図１２（ｂ）は、図１２（ａ）と比較して、受信信号の大減弱により不連続になった到達時間が連続するように補正されている様子が分かる。
【００５６】
また、図９（ｂ）〜（ｄ）、図１１（ｂ）に示したように、補正部７３は、起点とする超音波素子を変えて、隣接する超音波素子の到達時間差の差が、送信波の周期Tの±T/2に収まるように、周期Tの整数倍を加算または減算する補正をそれぞれ行うことにより、複数の連続化処理後の到達時間差列を求めてもよい。そして、補正部７３は、図９（ｂ）〜（ｄ）のように得られた複数の補正後の到達時間差列の対応する超音波素子の到達時間差に、起点の超音波素子からその超音波素子までの距離に応じた重みを掛けて加重平均する。このとき、重みは、起点となる超音波素子から離れるほど、値が小さくなるように設定する。このように、加重平均を求めることにより、より連続性を高めることができる。
【００５７】
図１０（ａ）に示すように、不連続になっている個所の到達時間差が、連続個所の到達時間差から大きく離れている到達時間差列を示している。このような場合、図１０（ｂ）〜（ｄ）に示すように、連続化処理後の到達時間差列は、対応する超音波素子の到達時間差が、起点とする超音波素子の位置によってばらつきが大きくなるが、加重平均を求めることにより、図１０（ｅ）のように連続性を高めることができる。補正部７３は、加重平均後の到達時間差列に式（１）の補正を適用すればよい。
【００５８】
このように、連続化処理を施すことにより、大減弱等の影響によって物性値分布画像上に現れる偽像を低減できるため、読影時の診断補助が可能となる画像を提供できる。
【００５９】
ユーザは本補正の前後の画像を確認でき、補正の適用の有無をいつでも切り替え可能である。
【００６０】
＜変形例＞
上述してきた実施形態では、超音波ＣＴ装置の信号処理部で信頼度の算出や、信頼度マップの生成を行う構成であったが、超音波ＣＴ装置とは別の画像処理装置に、図３の信号処理部７の構成を配置し、信頼度の算出や信頼度マップの生成を行ってもよい。例えば、超音波ＣＴ装置で取得した透過波の受信信号データを、図１および図３の信号処理部７、記憶部８、入出力部９を有する画像処理装置へ転送し、そこで図４に示した動作により本実施形態の処理を実施することもできる。なお、受信信号データの転送は、通信回線やインターネットを介して行ってもよい。すなわち、画像処理装置をサーバー上に配置し、クラウドサービスとして、ユーザから受信信号データを受け取って、生成した信頼度画像や物性値画像をユーザに送信し、ユーザの表示装置に図７のように表示させることも可能である。
【００６１】
また、上述の実施形態では、超音波素子列３としてリングアレイ状のものを用いることを説明したが、超音波素子列３の形状は、リングアレイに限定されるものではない。例えば、リニアプローブ対を回転させる方法等で取得した透過波の受信信号データにも同様に適用可能である。
【００６２】
また、上述の説明では、超音波素子列から平面波の超音波を照射しているが、拡散波照射でも同様に補正が可能である。
【符号の説明】
【００６３】
１…被写体 
２…ベッド 
３…リングアレイ
４…水槽 
５…予備タンク 
６…制御部 
７…信号処理部 
８…記憶部 
９…入出力部
７１…信頼度算出部
７２…信頼度マップ生成部
７３…補正部
７４…断層画像生成部 
【図１】
2020110431.tif 000006
【図２】
2020110431.tif 000007
【図３】
2020110431.tif 000008
【図４】
2020110431.tif 000009
【図５】
2020110431.tif 000010
【図６】
2020110431.tif 000011
【図７】
2020110431.tif 000012
【図８】
2020110431.tif 000013
【図９】
2020110431.tif 000014
【図１０】
2020110431.tif 000015
【図１１】
2020110431.tif 000016
【図１２】
2020110431.tif 000017
【図１３】
2020110431.tif 000018